(57)【要約】      （修正有）【課題】指輪本体の上半分の本体部を変形できないように形成し、指輪本体の下半分の可動部のほぼ中間に連結部材を介装した上、該連結部材の両側にコイルバネを取り付けて、指の節などにおけるサイズの変化に対応することが可能な指輪を提供する。【解決手段】リング状の指輪本体１１の上半分の本体部１２を変形できないように形成するとともに、指輪本体の下半分のさらに２分割した可動部１３の両側に連結軸１５を回動可能に軸着して指輪本体と連結し、２分割した可動部の筒状とした中間に連結部材１６を介装した上、連結部材の両側の可動部内にコイルバネ１７を取り付けることにより、指輪本体の下半分の２分割した可動部の中間がコイルバネに抗して開閉することにより指のサイズの変化に対応可能とした。【選択図】図１２
0003231614.tif 000002
【実用新案登録請求の範囲】
【請求項１】
リング状の指輪本体の上半分の本体部を変形できないように形成するとともに、前記指輪本体の下半分のさらに２分割した可動部の両側に連結軸を回動可能に軸着して前記指輪本体と連結し、前記２分割した可動部の筒状とした中間に連結部材を介装した上、該連結部材の両側の可動部内にコイルバネを取り付けることにより、前記指輪本体の下半分の２分割した可動部の中間がコイルバネに抗して開閉することにより指のサイズの変化に対応可能としたことを特徴とする指輪。
【請求項２】
前記リング状の指輪本体の上半分の本体部を変形できないように形成してあるため、指輪本体が略リング状に保持されていることを特徴とする請求項１に記載の指輪。
【請求項３】
前記可動部の筒状とした中間に介装した連結部材が、板状ないし円柱状に形成されていることを特徴とする請求項１または２に記載の指輪。
【請求項４】
前記連結部材上の可動部が、１〜３ｍｍの範囲で摺動するようにしたことを特徴とする請求項１ないし３のいずれかに記載の指輪。
【考案の詳細な説明】
【技術分野】
【０００１】
本考案は指輪本体の上半分の本体部を変形できないように形成するとともに、前記指輪本体の下半分の可動部の両側に連結軸を回動可能に軸着し、前記指輪本体の下半分の可動部のほぼ中間に連結部材を介装した上、該連結部材の両側にコイルバネを取り付けて、指の節などにおけるサイズの変化に対応可能な指輪を提供することを目的とするものである。
【背景技術】
【０００２】
近年、指輪はその所有者の指の節などでサイズが変わり、節を通って所定位置にはまる際には緩くなってしまうという問題があった。
そのような問題を解決するための先行技術としては、特表２０１５−５０９４１３号公報（特許文献１参照）のような指輪が知られているが、これは内径が調節可能な宝飾品であって、指輪の部分の形態をした第１および第２部分であり、それぞれ第１および第２端部を有する第１および第２部分を含み、第１および第２部分が、揺動式の連結部によって互いに連結される宝飾品に関するものである。そして各部分は、可変深さの噛み合いによって、内径が調節可能な閉じた指輪を形成するように他方の部分の第１端部と協働するように構成された第１端部を有する。
また、実用新案登録第３１８９９８３号公報（特許文献２参照）にはリングの大部分を構成する複数の第１リング部材と、前記各部材を連結する止ネジと、前記リングの一部として配置された左右一対の第２リング部材と、前記第２リング部材の突き合わせ位置に設けたスリット部に組み付けられて側面にガイド孔を設けたガイド部材とで構成され、前記第１リング部材との間を止ネジで連結されたサイズ調整部材とを備え、前記第２リング部材のスリット部に設けたピンを前記ガイド部材のガイド孔にはめ込んでスライド可能とするとともに、前記サイズ調整部材を用いて長さ調整した状態で前記止ネジを締め付けて固定することにより、サイズ調整するようにしたフリーサイズ指輪が開示されている。リングの大部分を構成する複数の第１リング部材と、
前記各部材を連結する止ネジと、
前記リングの一部として配置された左右一対の第２リング部材と、前記第２リング部材の突き合わせ位置に設けたスリット部に組み付けられて側面にガイド孔を設けたガイド部材とで構成され、前記第１リング部材との間を止ネジで連結されたサイズ調整部材とを備え、
前記第２リング部材のスリット部に設けたピンを前記ガイド部材のガイド孔にはめ込んでスライド可能とするとともに、
前記サイズ調整部材を用いて長さ調整した状態で前記止ネジを締め付けて固定することにより、サイズ調整するようにしたことを特徴とするフリーサイズ指輪。
【０００３】
しかしながら、特表２０１５−５０９４１３号公報（特許文献１参照）においては、揺動軸と軸受との組み合わせが指輪本体の上半部に取り付けられており、指輪の装飾体としての機能が半減してしまうという問題があった。
また、実用新案登録第３１８９９８３号公報（特許文献２参照）においても、細切れのような第１リング部材および第２リング部材を使用しているため、指輪本体の上半部に指輪の装飾体としての機能を持たせることが難しいという問題があった。
【先行技術文献】
【特許文献】
【０００４】
【特許文献１】特表２０１５−５０９４１３号公報
【特許文献２】実用新案登録第３１８９９８３号公報
【考案の概要】
【考案が解決しようとする課題】
【０００５】
以上のように、複数の部材を連結した構造のフリーサイズ指輪においては、指輪本体の上半部に指輪の装飾体としての機能を持たせることが難しいという問題があったため、本考案においては指輪本体の上半分の本体部を変形できないように形成し、指輪本体の下半分の可動部のほぼ中間に連結部材を介装した上、該連結部材の両側にコイルバネ状の引きバネを取り付けて、指の節などにおけるサイズの変化に対応することが可能な指輪を提供しようとするものである。
【課題を解決するための手段】
【０００６】
すなわち本考案の指輪は、リング状の指輪本体の上半分５０％の本体部を変形できないように形成するとともに、前記指輪本体の下半分５０％のさらに２分割した可動部の両側に連結軸を回動可能に軸着して前記指輪本体と連結し、前記２分割した可動部の筒状とした中間に連結部材を介装した上、該連結部材の両側の可動部内にコイルバネを取り付けることにより、前記指輪本体の下半分５０％の２分割した可動部の中間がコイルバネに抗して開閉することにより指のサイズの変化に対応可能としたことを特徴とするものである。
【０００７】
また本考案の指輪においては、前記リング状の指輪本体の上半分５０％の本体部を変形できないように形成してあるため、指輪本体がほぼリング状に保持されていることをも特徴とするものである。
【０００８】
本考案の指輪においては、前記可動部の筒状とした中間に介装した連結部材が、板状ないし円柱状に形成されていることをも特徴とするものである。
【０００９】
本考案の指輪においては、前記連結部材上の可動部が、１〜３ｍｍの範囲で摺動するようにしたことをも特徴とするものである。
【考案の効果】
【００１０】
次に、本考案の指輪によって得られる効果を列記すると以下の通りである。
１）前記リング状の指輪本体の上半分の本体部を変形できないよう構成してあるため、当該部位に宝石等の装飾部を取り付けて指輪としての付加価値を大幅に向上させることができる。
２）２分割した可動部の筒状とした中間に連結部材を介装した上、該連結部材の両側の可動部内にコイルバネを取り付けることにより、前記指輪本体の下半分の２分割した可動部の中間がコイルバネに抗して開閉することにより、指の節などのサイズの変化に迅速に対応することができる。
３）前記可動部の筒状とした中間に介装した連結部材が、板状ないし円柱状に形成されている。したがって、指輪本体の形状に応じて任意の形状の連結部材とすることができる。
４）前記連結部材上の可動部が、１〜３ｍｍの範囲で摺動するようにしてある。したがって、指の節などのサイズの変化に迅速に対応することができる。
５）前記指輪本体の上面に宝石などのデザインが施されている商品の場合でも指に装着され、手を握ったり開いたりする時のその指の太さの変化に対してコイルバネ（引きバネ）の閉まり具合が抵抗をかけ、宝石などのデザインが指の内側の方に回ってしまうことを無くすことができる。
【図面の簡単な説明】
【００１１】
【図１】本考案の指輪の実施の形態を示すものであり、指輪の内部構造を見えるようにした概略透視図である。
【図２】その概略断面図である。
【図３】各パーツの全体を示すための分解断面図である。
【図４】その概略斜視図である。
【図５】その透視状態を示す概略斜視図である。
【図６】その中央切断状態を示す概略斜視図である。
【図７】前記指輪本体の下半分の２分割した可動部を組付けた状態を示す概略斜視図である。
【図８】その中央切断状態を示す概略斜視図である。
【図９】前記連結部材の両側の可動部内に取り付けたコイルバネの目隠し板を取り付けた状態を示す概略斜視図である。
【図１０】前記指輪本体の上半分の本体部と下半分の２分割した可動部を組付けようとする状態を示す概略斜視図である。
【図１１】前記指輪本体の上半分の本体部と下半分の２分割した可動部を組付けた状態を示す概略斜視図である。
【図１２】前記指輪本体の上半分の本体部と下半分の２分割した可動部をコイルバネの押圧力に抗して拡げた状態の概略透視図である。
【図１３】その概略断面図である。
【考案を実施するための形態】
【００１２】
以下において、本考案の指輪の実施の形態を図面に基いて詳細に説明する。
図１および図２は本考案の指輪の１実施例を示すものであり、リング状の指輪本体１１の上半分の本体部１２を変形できないように一体的に形成するとともに、前記指輪本体１１の下半分のさらに２分割した可動部１３，１４の両側に連結軸１５を回動可能に軸着して前記指輪本体１１と連結している。
そして、前記２分割した可動部１３，１４の筒状とした中間に連結部材１６を介装した上、該連結部材１６の両側の可動部１３，１４内にコイルバネ１７を取り付けることにより、前記指輪本体１１の下半分の２分割した可動部１３，１４の中間がコイルバネ１７に抗して開閉することにより、指の節などでサイズが変化してもこれに、対応可能としたものである。
【００１３】
上記実施例の指輪においては、前記リング状の指輪本体１１の上半分の本体部１２を変形できないように形成してあるため、指輪本体１１が可動部１３，１４を備えたものであっても、ほぼリング状に保持されているのである。
したがって、指輪本体１１が可動部１３，１４を備えたものであっても、前記リング状の指輪本体１１の上半分の本体部１２を変形できないように形成してある指輪はほとんど装飾性が損なわれることがなく、特に前記リング状の指輪本体１１の上半分の本体部１２に宝石等が搭載されている指輪においてはその効果は非常に顕著である。
【００１４】
上記実施例の指輪においては、前記可動部１３，１４の筒状とした中間に介装した連結部材１６が、板状ないし円柱状に形成されている。図では一般的に指輪本体１１の形状に倣って板状に形成されている。
図３ないし図６に示すように、前記可動部１３，１４の筒状とした中間に介装した連結部材１６は、前記可動部１３，１４内に取り付けたそれぞれのコイルバネ１７を両端に取り付けられており、各コイルバネ１７の他端は前記可動部１３，１４の内壁部分にそれぞれ取り付けられている。
なお、図７および図８において、１８，１９は前記可動部１３，１４に取り付けた閉鎖板であり、各コイルバネ１７を目隠しする役目を持っている。
また、図９および図１０において、２１，２２は前記可動部１３，１４の筒状とした中間に介装した連結部材１６の内面側の両端部分を保持する可動部１３，１４端部の保持部である。
さらに、図３ないし図１０において、２３は前記連結部材１６の中間に所定の間隔をあけて設けたガイド孔、２４は該ガイド孔２３にはめ込んで前記可動部１３，１４に取り付けた保持軸であり、前記連結部材１６に沿って前記可動部１３，１４をスライドさせるためのものである。
【００１５】
なお、前記実施例の図１１に示す組立状態の指輪においては、図１２および図１３に示すように指輪に開こうとする力が加わった場合には、前記可動部１３，１４に取り付けた閉鎖板１８，１９の端面と前記可動部１３，１４の筒状とした中間に介装した連結部材１６の先端側の端面との間に隙間ができる。また、前記連結部材１６のほぼ中央の側面において前記可動部１３，１４の端部の間にも隙間ができる。
しかしながら、図１２の拡大図に示すように、これらの隙間は前記連結部材１６の上面の非常に限られた面積のものであるため、使用に際してそれらの隙間に指が挟まって使用者が痛い思いをするという事態はほとんど生じない。もちろん、前記可動部１３，１４に取り付けた保持部２１，２２の端面の角と前記可動部１３，１４の筒状とした中間に介装した連結部材１６の先端側の端面の角、前記連結部材１６のほぼ中央の側面において前記可動部１３，１４の端部の角を面取り（図示せず）することにより、さらに指が挟まる事態を防ぐこともできる。
【００１６】
ちなみに前記実施例の指輪においては、前記連結部材１６上の可動部１３，１４が、１〜３ｍｍの範囲で摺動するようになっており、指の節などのサイズの変化に迅速に対応することができる。
【００１７】
また、前記指輪本体１１の上面に宝石などのデザインが施されている商品の場合でも、指に装着されて手を握ったり開いたりする時のその指の太さの変化に対してコイルバネ（引きバネ）１７の閉まり具合が抵抗をかけ、宝石などのデザインが指の内側の方に回ってしまうことを無くすことができる。
【産業上の利用可能性】
【００１８】
本考案の指輪は以上のように構成されており、その考案の要旨を変更しない限り一般のファッション性を備えた指輪やブライダル用途、その他種々の用途に適用できることはいうまでもない。
【符号の説明】
【００１９】
１１  指輪本体
１２  上半分の本体部
１３，１４  可動部
１５  連結軸
１６  連結部材
１７  コイルバネ
１８，１９  閉鎖板
２１，２２  保持部
２３  ガイド孔
２４  保持軸
【図１】
0003231614.tif 000003
【図２】
0003231614.tif 000004
【図３】
0003231614.tif 000005
【図４】
0003231614.tif 000006
【図５】
0003231614.tif 000007
【図６】
0003231614.tif 000008
【図７】
0003231614.tif 000009
【図８】
0003231614.tif 000010
【図９】
0003231614.tif 000011
【図１０】
0003231614.tif 000012
【図１１】
0003231614.tif 000013
【図１２】
0003231614.tif 000014
【図１３】
0003231614.tif 000015